(57)【要約】【課題】  簡単な操作で、複数の番組を一定の画質又は音質に揃えて管理することが可能な蓄積処理装置及びその制御方法を提供する。【解決手段】  本発明の蓄積処理装置１０１において、制御部１０８は、録画対象の放送番組と関連性のある関連番組を、ハードディスク（蓄積部）１１０内の録画済み番組の中から検索する。そして、見つかった関連番組の録画設定情報をハードディスク（蓄積部）１１０から読み出す。提示処理部１６１は、読み出した録画設定情報を用いて、録画対象の番組予約設定画面を生成する。【選択図】  図１
2008219473.tif 000002
【特許請求の範囲】
【請求項１】
放送番組及び該放送番組に関する番組情報を受信する受信手段と、
前記受信手段により受信される放送番組の録画設定を行うための設定手段と、
前記設定手段により録画設定された放送番組と、該放送番組の番組情報と、該放送番組の録画設定の内容に関する録画設定情報とを蓄積部に蓄積する蓄積制御手段と、
前記設定手段で録画対象の放送番組の録画設定を行う際に、放送番組の番組情報に基づいて、前記蓄積部に蓄積された複数の放送番組の中から、録画対象の放送番組に関連する関連番組を検索する検索手段とを備え、
前記設定手段は、前記検索手段により検索された関連番組の録画設定情報に基づいて、録画対象の放送番組の録画設定を行うことを特徴とする蓄積処理装置。
【請求項２】
前記検索手段は、前記設定手段による録画設定を行う際に、録画対象の放送番組に関する番組情報と、前記蓄積部に蓄積された複数の放送番組に関する番組情報とを比較し、比較結果に基づいて、前記蓄積部に蓄積された複数の放送番組の中から、録画対象の放送番組に関連する関連番組を特定する、請求項１に記載の蓄積処理装置。
【請求項３】
前記設定手段は、前記検索手段により検索された関連番組に対応する画質モード又は音質モードで、録画対象の放送番組の録画設定を行う請求項１に記載の蓄積処理装置。
【請求項４】
放送番組及び該放送番組に関する番組情報を蓄積部に蓄積する蓄積制御手段と、
前記蓄積部に蓄積された複数の放送番組の中から任意の番組を選択するための選択手段と、
前記選択手段により選択された番組の画質又は音質の変換処理を行う変換処理手段と、
前記変換処理手段による変換処理を行う際に、前記蓄積部に蓄積された複数の放送番組の番組情報に基づいて、該複数の放送番組の中から前記選択された番組に関連する関連番組を検索する検索手段とを備え、
前記変換処理手段は、前記検索手段により検索された関連番組の画質又は音質に対応するように、前記選択された番組の画質又は音声の変換処理を行うことを特徴とする蓄積処理装置。
【請求項５】
前記検索手段は、前記変換処理手段による変換処理を行う際に、前記選択された番組に関する番組情報と、前記蓄積部に蓄積された複数の放送番組に関する番組情報とを比較し、比較結果に基づいて、該複数の放送番組の中から前記選択された番組に関連する関連番組を特定する、請求項４に記載の蓄積処理装置。
【請求項６】
前記蓄積制御手段は、前記変換処理手段により変換処理された番組の該変換処理の設定内容に関する変換設定情報を前記蓄積部に蓄積し、
前記変換処理手段は、前記検索手段により検索された関連番組が変換処理された番組である場合に、前記蓄積部に蓄積された変換設定情報に基づいて、前記選択された番組の変換処理を行う請求項４に記載の蓄積処理装置。
【請求項７】
放送番組及び該放送番組に関する番組情報を蓄積部に蓄積する蓄積制御手段と、
前記蓄積部に蓄積された複数の放送番組の中から複数の番組を選択するための選択手段と、
前記選択手段により選択された複数の番組の画質又は音質が互いに異なる場合に、該複数の番組の画質又は音質が一定になるように、画質又は音質の変換処理を行う変換処理手段とを備えることを特徴とする蓄積処理装置。
【請求項８】
前記選択手段は、前記蓄積部に蓄積された複数の放送番組の番組情報に基づいて、互いに関連する複数の番組を選択する、請求項７に記載の蓄積処理装置。
【請求項９】
前記変換処理手段は、前記選択された複数の番組の中のある番組の画質又は音質に対応するように、他の番組の画質又は音質の変換処理を行う請求項７に記載の蓄積処理装置。
【請求項１０】
放送番組を蓄積部に蓄積する蓄積制御手段と、
前記蓄積部に蓄積された放送番組の画質又は音質を解析する解析手段と、
前記解析手段により番組内に画質又は音質の異なる部分があると解析された場合に、番組内の画質又は音質が一定になるように、画質又は音質の変換処理を行う変換処理手段とを備えることを特徴とする蓄積処理装置。
【請求項１１】
放送番組を蓄積する蓄積処理装置の制御方法であって、
放送番組及び該放送番組に関する番組情報を受信する受信ステップと、
前記受信ステップで受信する放送番組の録画設定を行う設定ステップと、
前記設定ステップで録画設定された放送番組と、該放送番組の番組情報と、該放送番組の録画設定の内容に関する録画設定情報とを蓄積部に蓄積する蓄積ステップと、
前記設定ステップで録画対象の放送番組の録画設定を行う際に、放送番組の番組情報に基づいて、前記蓄積部に蓄積された複数の放送番組の中から、録画対象の放送番組に関連する関連番組を検索する検索ステップとを備え、
前記設定ステップにおいて、前記検索ステップで検索された関連番組の録画設定情報に基づいて、録画対象の放送番組の録画設定を行うことを特徴とする制御方法。
【請求項１２】
前記検索ステップにおいて、録画対象の放送番組に関する番組情報と、前記蓄積部に蓄積された複数の放送番組に関する番組情報とを比較し、比較結果に基づいて、前記蓄積部に蓄積された複数の放送番組の中から、録画対象の放送番組に関連する関連番組を特定する、請求項１０に記載の制御方法。
【請求項１３】
前記設定ステップにおいて、前記検索ステップで検索された関連番組に対応する画質モード又は音質モードで、録画対象の放送番組の録画設定を行う請求項１０に記載の蓄積処理装置。
【請求項１４】
放送番組を蓄積する蓄積処理装置の制御方法であって、
放送番組及び該放送番組に関する番組情報を蓄積部に蓄積する第１の蓄積ステップと、
前記蓄積部に蓄積された複数の放送番組の中から任意の番組を選択する選択ステップと、
前記選択ステップで選択された番組の画質又は音質の変換処理を行う変換処理ステップと、
前記変換処理ステップで変換処理を行う際に、前記蓄積部に蓄積された複数の放送番組の番組情報に基づいて、該複数の放送番組の中から前記選択された番組に関連する関連番組を検索する検索ステップとを備え、
前記変換処理ステップにおいて、前記検索ステップで検索された関連番組の画質又は音質に対応するように、前記選択された番組の画質又は音声の変換処理を行うことを特徴とする制御方法。
【請求項１５】
前記検索ステップにおいて、前記選択された番組に関する番組情報と、前記蓄積部に蓄積された複数の放送番組に関する番組情報とを比較し、比較結果に基づいて、該複数の放送番組の中から前記選択された番組に関連する関連番組を特定する、請求項１４に記載の制御方法。
【請求項１６】
さらに、前記変換処理ステップで変換処理された番組の該変換処理の設定内容に関する変換設定情報を前記蓄積部に蓄積する第２の蓄積ステップを備え、
前記変換処理ステップにおいて、前記検索ステップで検索された関連番組が変換処理された番組である場合に、前記蓄積部に蓄積された変換設定情報に基づいて、前記選択された番組の変換処理を行う請求項１４に記載の制御方法。
【請求項１７】
放送番組を蓄積する蓄積処理装置の制御方法であって、
放送番組及び該放送番組に関する番組情報を蓄積部に蓄積する蓄積ステップと、
前記蓄積部に蓄積された複数の放送番組の中から複数の番組を選択する選択ステップと、
前記選択ステップで選択された複数の番組の画質又は音質が互いに異なる場合に、該複数の番組の画質又は音質が一定になるように、画質又は音質の変換処理を行う変換処理ステップとを備えることを特徴とする制御方法。
【請求項１８】
前記選択ステップにおいて、前記蓄積部に蓄積された複数の放送番組の番組情報に基づいて、互いに関連する複数の番組を選択する、請求項１７に記載の制御方法。
【請求項１９】
前記変換処理ステップにおいて、前記選択された複数の番組の中のある番組の画質又は音質に対応するように、他の番組の画質又は音質の変換処理を行う請求項１７に記載の制御方法。
【請求項２０】
放送番組を蓄積する蓄積処理装置の制御方法であって、
放送番組を蓄積部に蓄積する蓄積ステップと、
前記蓄積部に蓄積された放送番組の画質又は音質を解析する解析ステップと、
前記解析ステップで番組内に画質又は音質の異なる部分があると解析された場合に、番組内の画質又は音質が一定になるように、画質又は音質の変換処理を行う変換処理ステップとを備えることを特徴とする制御方法。
【発明の詳細な説明】
【技術分野】
【０００１】
本発明は、放送番組を蓄積する蓄積処理装置及びその制御方法に関する。
【背景技術】
【０００２】
近年、地上デジタル放送、ＢＳ（Ｂｒｏａｄｃａｓｔｉｎｇ  Ｓａｔｅｌｌｉｔｅ）デジタル放送、ＣＳ（Ｃｏｍｍｕｎｉｃａｔｉｏｎ  Ｓａｔｅｌｌｉｔｅ）デジタル放送などのデジタル放送が普及してきている。デジタル放送では、番組の放送時間、放送番組のタイトルやジャンルなど、放送番組に関する種々の番組情報が放送信号に重畳して送信される。
【０００３】
放送信号に重畳される番組情報を利用することにより、例えば、連続性のある番組内容を有するシリーズ番組を一括して録画予約したり、録画したシリーズ番組をまとめて再生する技術が提案されている（例えば、特許文献１参照）。
【０００４】
また、デジタル放送の普及とともに、放送番組の高画質化・高音質化も進められている。近年では、低画質（又は低音質）のデータを高画質（又は高音質）のデータに変換する技術も提案されている（例えば、特許文献２参照）。
【特許文献１】特開平１１−２５２４９４号公報
【特許文献２】特開２００３−３２３６１２号公報
【発明の開示】
【発明が解決しようとする課題】
【０００５】
しかしながら、特許文献１に開示されているような従来の技術では、新たに放送番組を録画予約する際に、既に録画済みの関連番組がある場合でも、関連番組の録画設定内容を引き継ぐことはできなかった。このため、録画済みの関連番組とは異なる画質や音質で、放送番組が録画されてしまうという問題があった。
【０００６】
異なる画質や音質で録画された複数の関連番組を続けて再生すると、画質や音質が切り替わるため違和感を感じる。そこで、特許文献２に記載の技術を用いると、録画済みの複数の関連番組の画質や音質が同じレベルになるように変換処理を施すことが可能である。
【０００７】
しかしながら、複数の関連番組の画質又は音質が全て同じレベルになるように変換処理を行うためには、個々の番組に対して個別に変換処理を行う必要があり、手順が複雑であるという問題があった。
【０００８】
本発明は、上述のような従来技術の問題点に鑑みてなされたものであり、簡単な操作で、複数の番組を一定の画質又は音質に揃えて管理することが可能な蓄積処理装置及びその制御方法を提供することを目的とする。
【課題を解決するための手段】
【０００９】
上述した課題を解決するために、本発明に係る蓄積処理装置は、放送番組及び該放送番組に関する番組情報を受信する受信手段と、受信手段により受信される放送番組の録画設定を行うための設定手段と、設定手段により録画設定された放送番組と、該放送番組の番組情報と、該放送番組の録画設定の内容に関する録画設定情報とを蓄積部に蓄積する蓄積制御手段と、設定手段で録画対象の放送番組の録画設定を行う際に、放送番組の番組情報に基づいて、蓄積部に蓄積された複数の放送番組の中から、録画対象の放送番組に関連する関連番組を検索する検索手段とを備え、設定手段は、検索手段により検索された関連番組の録画設定情報に基づいて、録画対象の放送番組の録画設定を行うことを特徴とする。
【００１０】
また、本発明に係る他の蓄積処理装置は、放送番組及び該放送番組に関する番組情報を蓄積部に蓄積する蓄積制御手段と、前記蓄積部に蓄積された複数の放送番組の中から任意の番組を選択するための選択手段と、選択手段により選択された番組の画質又は音質の変換処理を行う変換処理手段と、変換処理手段による変換処理を行う際に、蓄積部に蓄積された複数の放送番組の番組情報に基づいて、該複数の放送番組の中から選択された番組に関連する関連番組を検索する検索手段とを備え、変換処理手段は、検索手段により検索された関連番組の画質又は音質に対応するように、選択された番組の画質又は音声の変換処理を行うことを特徴とする。
【００１１】
また、本発明に係るさらに他の蓄積処理装置は、放送番組及び該放送番組に関する番組情報を蓄積部に蓄積する蓄積制御手段と、蓄積部に蓄積された複数の放送番組の中から複数の番組を選択する選択手段と、選択手段により選択された複数の番組の画質又は音質が互いに異なる場合に、該複数の番組の画質又は音質が一定になるように、画質又は音質の変換処理を行う変換処理手段とを備えることを特徴とする。
【００１２】
また、本発明に係るさらに他の蓄積処理装置は、放送番組を蓄積部に蓄積する蓄積制御手段と、蓄積部に蓄積された放送番組の画質又は音質を解析する解析手段と、解析手段により番組内に画質又は音質の異なる部分があると解析された場合に、番組内の画質又は音質が一定になるように、画質又は音質の変換処理を行う変換処理手段とを備えることを特徴とする。
【発明の効果】
【００１３】
本発明に係る蓄積処理装置によれば、適切な録画設定を行うことにより、簡単な操作で、複数の番組を一定の画質又は音質に揃えて管理することが可能となる。また、適切な画質又は音質の変換処理を行うことにより、簡単な操作で、複数の番組を一定の画質又は音質に揃えて管理することが可能となる。
【発明を実施するための最良の形態】
【００１４】
以下、図面を用いて本発明の実施の形態について説明する。
【００１５】
（実施の形態１）
図１は、本発明の実施の形態１に係る蓄積処理装置１０１の概略構成を示すブロック図である。図１において、この蓄積処理装置１０１は、入力端子１０２、チューナ部１０３、ＤＥＭＵＸ（デマルチプレクサ）部１０４、映像処理部１０５、音声処理部１０６、リモコン受信部１０７、制御部１０８を備える。さらに、蓄積処理装置１０１は、メモリ部（蓄積部）１０９、ハードディスク（蓄積部）１１０、外部Ｉ／Ｆ部１１１、内部バス１１２、映像出力端子１１３、音声出力端子１１４、外部Ｉ／Ｆ端子１１５、及び提示処理部１１６を備える。ただし、例えばハードディスク内蔵型テレビのように、蓄積処理装置１０１と表示装置とが一体になった構成であってもよい。
【００１６】
入力端子１０２には、アンテナで受信された放送信号が入力される。チューナ部１０３は、入力端子１０２からの放送信号を受け、指定されたチャンネルの信号に復調処理及び誤り訂正処理を施し、ＴＳ（トランスポートストリーム）信号をＤＥＭＵＸ部１０４に出力する。
【００１７】
ＤＥＭＵＸ部１０４は、チューナ部１０３からのＴＳ信号に多重されている映像信号、音声信号、付加データ（データ放送用データ、番組情報等）を分離する。そして、映像信号を映像処理部１０５に出力し、音声信号を音声処理部１０６に出力し、付加データを内部バス１１２に出力する。
【００１８】
映像処理部１０５は、ＤＥＭＵＸ部１０４からの映像信号を復号（デコード）して提示処理部１１６に出力する。また、この映像処理部１０５は、ハードディスク１１０や外部Ｉ／Ｆ部１１１から内部バス１１２を介して受けた映像信号を提示処理部１１６に出力する機能も有する。音声処理部１０６は、ＤＥＭＵＸ部１０４からの音声信号を復号（デコード）して、音声出力端子１１４に出力する。また、この音声処理部１０６は、ハードディスク１１０や外部Ｉ／Ｆ部１１１から内部バス１１２を介して受けた音声信号を音声出力端子１１４に出力する機能も有する。音声出力端子１１４は、音声出力装置（スピーカ）に接続される。
【００１９】
リモコン受信部１０７は、リモコンからのリモコン信号（キーコードデータ）を受信して制御部１０８へ転送する。メモリ部（蓄積部）１０９には、電子番組表（Ｅｌｅｃｔｒｏｎｉｃ  Ｐｒｏｇｒａｍ  Ｇｕｉｄｅ、以下「ＥＰＧ」と称す）画面、予約設定画面、メニュー画面等で使用される文字（フォント）データや画像データ（アイコン等）が予め格納される。また、メモリ部（蓄積部）１０９には、ＤＥＭＵＸ部１０４から出力された付加データ（番組情報等）、リモコン操作により設定された各種設定データ、外部Ｉ／Ｆ部１１１を介して入力されたデータ等が格納（蓄積）される。
【００２０】
ハードディスク（蓄積部）１１０は、ＤＥＭＵＸ部１０４から出力された映像信号、音声信号、付加データを内部バス１１２を介して受け、蓄積する。外部Ｉ／Ｆ部１１１は、インターネット等のネットワークと接続するためのインタフェース、又はＵＳＢ，ＩＥＥＥ１３９４等の規格に準じた外部装置と接続するためのインタフェースである。この外部Ｉ／Ｆ部１１１は、外部Ｉ／Ｆ端子１１５を介して接続された各種ＡＶ機器やパーソナルコンピュータ、ルータ等の外部装置との間で各種データのやり取りを行なう。また、外部Ｉ／Ｆ部１１１は、外部Ｉ／Ｆ端子１１５を介して、インターネット等のネットワークとの間で各種データのやり取りを行なうこともできる。
【００２１】
提示処理部１６１は、内部バス１１２を介して受けた各種データを用いて、データ放送画面やＥＰＧ画面、予約設定画面、メニュー画面等の各種提示画面を生成する。そして、これらの生成した画面と映像処理部１０５からの映像信号と切り替え或いは合成して映像出力端子１１３に出力する。映像出力端子１１３は、表示装置（ディスプレイ）に接続される。
【００２２】
制御部１０８は、内部バス１１２に接続され、蓄積処理装置１０１内の各部を統括的に制御する。例えば、チューナ部１０３を制御してチャンネルを切り替えたり、ハードディスク１１０に放送番組や付加データを蓄積する蓄積制御を行ったりする。また、映像処理部１０５を制御して、映像の切り替えや合成を行ったりする。さらに、制御部１０８は、音声処理部１０６を制御して、音声の切り替えや合成を行う。また、制御部１０８は、リモコン受信部１０７で受信されたリモコン信号を解析し、それに応じた処理を行う。制御部１０８は、年月日、曜日、時刻等を計測できる時計機能を有しており、曜日、時刻等を管理し、映像処理部１０５を介して映像出力させることができる。内部バス１１２は、蓄積処理装置内の各部を接続するバスであって、各種信号・データの転送に使用される。
【００２３】
図２は、図１に示したチューナ部１０３から出力されるＴＳ信号の構成例を示す図である。ＴＳ信号は、ＩＥＣ（Ｉｎｔｅｒｎａｔｉｏｎａｌ  Ｅｌｅｃｔｒｏ−ｔｅｃｈｎｉｃａｌ  Ｃｏｍｍｉｓｓｉｏｎ、国際電気標準会議）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ、電気電子学会）、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ、電波産業会）等により規定されている。
【００２４】
図２に示すように、複数のＴＳパケットが時分割多重されて、ＴＳ信号が構成されている。映像信号に対応するＶｉｄｅｏ部、音声信号であるａｕｄｉｏ部、付加データに対応するｄａｔａ部は、それぞれＴＳパケット単位で伝送される。
【００２５】
複数のデータ部を収集して再構成される管理情報テーブルは、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）、ＮＩＴ（Ｎｅｔｗｏｒｋ  Ｉｎｆｏｒｍａｔｉｏｎ  Ｔａｂｌｅ）等で構成される。ＥＩＴの最初の部分は、テーブルＩＤ、サービスＩＤ、イベントＩＤ、番組の放送開始時刻、放送継続時間等が記述されている。そして、これらの後には、いくつかの記述子が存在する。ＥＰＧ画面は、主にこのＥＩＴの情報を用いて作成される。ここでは、ＥＰＧおよび録画予約と関係がある記述子のみについて説明する。
【００２６】
短形式イベント記述子には、番組名や番組の簡単な内容が記述される。拡張形式イベント記述子には、出演者、脚本者、司会者等の人物名、番組の詳細な内容等が記述される。コンテント記述子には、番組のジャンルや特性が記述される。ここで、放送番組のジャンルは、「報道」、「スポーツ」、「ドラマ」、「映画」、「バラエティ」、「教養」等の大ジャンルと、大ジャンルを細分化した中ジャンルで規定される。例えば、大ジャンル「スポーツ」を細分化した中ジャンルには、「サッカー」、「野球」、「オリンピック」等が規定されている。シリーズ記述子には、シリーズ番組や再放送番組等に関する情報が記述される。
【００２７】
ＥＩＴ等の番組情報は、ＤＥＭＵＸ部１０４から内部バス１１２を介して一旦メモリ部１０９に格納（蓄積）される。ユーザによるリモコン操作でＥＰＧ画面が呼び出されると、提示処理部１１６は、メモリ部１０９から必要なデータを読み出してＥＰＧ画面を生成する。また、ユーザによるリモコン操作で番組録画の予約設定画面が呼び出されると、提示制御部１１６は、メモリ部１０９から必要なデータを読み出して予約設定画面を生成する。
【００２８】
図３は、予約設定画面の一例を示す図である。図３において、録画チャンネル（ＢＳ１０１）、録画の開始時間（１０：００）及び終了時間（１２：００）、録画画質モード（ＸＰ：高画質）、録画音質モード（ＬＰＣＭ：高音質）、番組名（連続ドラマＡ  第２話）が設定項目として表示されている。ユーザは、リモコンを操作してこれらの設定項目の内容を変更したり、予約設定を実行したりすることができる。
【００２９】
ここで、この実施の形態１では、新たに放送番組を録画する予約設定画面において、既に録画済みの関連番組がある場合は、関連番組の録画設定内容（画質や音質等）を引き継げるようにすることを特徴としている。
【００３０】
図４は、録画予約設定の処理手順を示すフローチャートである。以下、図１及び図４を用いて、録画予約設定の処理手順について説明する。ここで、いくつかの録画済みの番組が既にハードディスク１１０に蓄積されているものとする。ハードディスク１１０には、録画済みの番組に関する番組情報や、録画設定内容に関する情報（録画設定情報）も蓄積される。メモリ部１０９には、録画対象の放送番組の番組情報や、デフォルトの録画設定情報が予め格納（蓄積）されるものとする。
【００３１】
ユーザのリモコン操作により、ＥＰＧ画面が呼び出され、ＥＰＧ画面上で録画対象の放送番組が選択されて、番組録画の予約設定画面が呼び出されると、提示処理部１１６は、その番組の録画予約を行うための予約設定画面を生成する。このとき、制御部１０８は、既に録画済みの関連番組の録画設定内容（画質や音質等）を引き継ぐための処理を実行する。
【００３２】
まず、ステップＳ４０１において、制御部１０８は、録画対象の放送番組と関連性のある関連番組を、ハードディスク１１０内の録画済み番組の中から検索する。具体的には、制御部１０８は、録画済み番組の番組情報をハードディスク１１０から読み出し、録画対象の放送番組の番組情報をメモリ部１０９から読み出してそれらを比較する。そして、比較結果に基づき、番組名が類似しているかどうか、ジャンルが一致するかどうか、シリーズ番組かどうか等を判別することによって、録画対象の放送番組と関連性のある関連番組を特定する。
【００３３】
ステップＳ４０２において、制御部１０８は、関連番組が見つかったか否かを判別する。ここで、関連番組が見つかった場合は（Ｙｅｓ）、ステップＳ４０３に進み、見つかった関連番組の録画設定情報をハードディスク１１０から読み出す。一方、ステップＳ４０２で関連番組が見つからなかった場合は（Ｎｏ）、ステップＳ４０４に進み、メモリ部１０９からデフォルトの録画設定情報を読み出す。
【００３４】
次に、ステップＳ４０５において、提示処理部１６１は、読み出した録画設定情報を用いて、録画対象の番組予約設定画面を生成する。
【００３５】
図３は、既に「連続ドラマＡ  第１話」が画質モード「ＸＰ」、音質モード「ＬＰＣＭ」で録画されていた場合を示している。この場合、画質モード「ＸＰ」、音質モード「ＬＰＣＭ」が読み出され、「録画済みの関連番組の録画設定情報を呼び出しました」というメッセージが表示される。
【００３６】
したがって、この実施の形態１によれば、簡単な操作で、複数の関連番組を一定の画質又は音質に揃えて管理することが可能となる。つまり、従来と異なり、ユーザは既に録画済みの関連番組をどのような設定で録画していたかを記憶しておく必要がなくなる。また、録画済みの関連番組の録画設定内容を自動的に引き継ぐことができるため、録画済みの関連番組の録画設定内容に合わせるためにユーザが手動で設定する手間が省ける。
【００３７】
このように、複数の関連番組を一定の画質又は音質に揃えて管理することにより、例えば、録画した複数の関連番組を連続して再生視聴する場合でも、画質・音質が急に切り替わることがないため、違和感を感じなくてすむ。また、ＤＶＤ（Ｄｉｇｉｔａｌ  Ｖｅｒｓａｔｉｌｅ  Ｄｉｓｃ）等の光ディスクに、複数の関連番組をまとめて保存するような場合にも、効果的である。
【００３８】
なお、録画済み番組の録画設定情報は、録画済み番組とともにハードディスク１１０に保存するようにしてもよいし、録画済み番組とは別にメモリ部１０９に保存するようにしてもよい。録画済み番組の録画設定情報をメモリ部１０９に保存しておく場合は、ハードディスク１１０内の録画済み番組のデータが消去されたとしても、録画済み番組の録画設定情報をメモリ部１０９に残しておくことができる。また、外部のＡＶ機器等で録画した番組の録画設定情報を外部Ｉ／Ｆ部１１１を介してメモリ部１０９に蓄積することにより、外部のＡＶ機器の録画済み番組の録画設定内容を引き継ぐことも可能である。
【００３９】
（実施の形態２）
この実施の形態２では、録画済み番組を高画質化・高音質化したり、低画質化・低音質化する等の変換処理を施すことにより、複数の関連番組を一定の画質又は音質に揃えて管理する形態について説明する。
【００４０】
図５は、本発明の実施の形態２に係る蓄積処理装置２０１の概略構成を示すブロック図である。図５において、この蓄積処理装置２０１は、入力端子１０２、チューナ部１０３、ＤＥＭＵＸ（デマルチプレクサ）部１０４、映像処理部１０５、音声処理部１０６、リモコン受信部１０７、制御部１０８を備える。さらに、蓄積処理装置１０１は、メモリ部（蓄積部）１０９、ハードディスク（蓄積部）１１０、外部Ｉ／Ｆ部１１１、内部バス１１２、映像出力端子１１３、音声出力端子１１４、外部Ｉ／Ｆ端子１１５、及び提示処理部１１６を備える。この蓄積処理装置２０１は、画質・音質変換処理部２０２をさらに備えることを特徴としている。なお、例えばハードディスク内蔵型テレビのように、蓄積処理装置１０１と表示装置とが一体になった構成であってもよい。
【００４１】
入力端子１０２には、アンテナで受信された放送信号が入力される。チューナ部１０３は、入力端子１０２からの放送信号を受け、指定されたチャンネルの信号に復調処理及び誤り訂正処理を施し、ＴＳ（トランスポートストリーム）信号をＤＥＭＵＸ部１０４に出力する。
【００４２】
ＤＥＭＵＸ部１０４は、チューナ部１０３からのＴＳ信号に多重されている映像信号、音声信号、付加データ（データ放送用データ、番組情報等）を分離する。そして、映像信号を映像処理部１０５に出力し、音声信号を音声処理部１０６に出力し、付加データを内部バス１１２に出力する。
【００４３】
映像処理部１０５は、ＤＥＭＵＸ部１０４からの映像信号を復号（デコード）して提示処理部１１６に出力する。また、この映像処理部１０５は、ハードディスク１１０や外部Ｉ／Ｆ部１１１から内部バス１１２を介して受けた映像信号を提示処理部１１６に出力する機能も有する。音声処理部１０６は、ＤＥＭＵＸ部１０４からの音声信号を復号（デコード）して、音声出力端子１１４に出力する。また、この音声処理部１０６は、ハードディスク１１０や外部Ｉ／Ｆ部１１１から内部バス１１２を介して受けた音声信号を音声出力端子１１４に出力する機能も有する。音声出力端子１１４は、音声出力装置（スピーカ）に接続される。
【００４４】
リモコン受信部１０７は、リモコンからのリモコン信号（キーコードデータ）を受信して制御部１０８へ転送する。メモリ部（蓄積部）１０９には、電子番組表（Ｅｌｅｃｔｒｏｎｉｃ  Ｐｒｏｇｒａｍ  Ｇｕｉｄｅ、以下「ＥＰＧ」と称す）画面、予約設定画面、メニュー画面等で使用される文字（フォント）データや画像データ（アイコン等）が予め格納される。また、メモリ部（蓄積部）１０９には、ＤＥＭＵＸ部１０４から出力された付加データ（番組情報等）、リモコン操作により設定された各種設定データ、外部Ｉ／Ｆ部１１１を介して入力されたデータ等が格納（蓄積）される。
【００４５】
ハードディスク（蓄積部）１１０は、ＤＥＭＵＸ部１０４から出力された映像信号、音声信号、付加データを内部バス１１２を介して受け、蓄積する。外部Ｉ／Ｆ部１１１は、インターネット等のネットワークと接続するためのインタフェース、又はＵＳＢ，ＩＥＥＥ１３９４等の規格に準じた外部装置と接続するためのインタフェースである。この外部Ｉ／Ｆ部１１１は、外部Ｉ／Ｆ端子１１５を介して接続された各種ＡＶ機器やパーソナルコンピュータ、ルータ等の外部装置との間で各種データのやり取りを行なう。また、外部Ｉ／Ｆ部１１１は、外部Ｉ／Ｆ端子１１５を介して、インターネット等のネットワークとの間で各種データのやり取りを行なうこともできる。
【００４６】
提示処理部１６１は、内部バス１１２を介して受けた各種データを用いて、データ放送画面やＥＰＧ画面、予約設定画面、メニュー画面等の各種提示画面を生成する。そして、これらの生成した画面と映像処理部１０５からの映像信号と切り替え或いは合成して映像出力端子１１３に出力する。映像出力端子１１３は、表示装置（ディスプレイ）に接続される。
【００４７】
制御部１０８は、内部バス１１２に接続され、蓄積処理装置１０１内の各部を統括的に制御する。例えば、チューナ部１０３を制御してチャンネルを切り替えたり、ハードディスク１１０に放送番組や付加データを蓄積する蓄積制御を行ったりする。また、映像処理部１０５を制御して、映像の切り替えや合成を行ったりする。さらに、制御部１０８は、音声処理部１０６を制御して、音声の切り替えや合成を行う。また、制御部１０８は、リモコン受信部１０７で受信されたリモコン信号を解析し、それに応じた処理を行う。制御部１０８は、年月日、曜日、時刻等を計測できる時計機能を有しており、曜日、時刻等を管理し、映像処理部１０５を介して映像出力させることができる。内部バス１１２は、蓄積処理装置内の各部を接続するバスであって、各種信号・データの転送に使用される。
【００４８】
画質・音質変換処理部２０２は、ハードディスク１１０に蓄積された録画済み番組のデータを内部バス１１２を介して取得し、高画質化・高音質化したり、低画質化・低音質化する等の変換処理を実行する。画質・音質変換処理部２０２により変換処理が施された番組は、内部バス１１２を介して、再びハードディスク１１０に蓄積される。
【００４９】
図６は、図５に示した画質・音質変換処理部２０２による画質変換処理について説明するための図である。画質・音質変換処理部２０２は、変換対象とする録画済み番組の画像を解析して、どのような特徴を有する画像が多く存在するかに応じて分類分けを行う。例えば、輝度差の大きな画像と、輝度差の小さな画像のように分類分けする。そして、画像の特徴に応じて、適切な画質変換処理を施す。例えば、画像データの画素数を増やす高画質化処理において、輝度差が大きい画像に対しては、鮮明なエッジ部分がぼやけないように同色の補間画素を各画素間に挿入する（変換処理前の画像（ａ）、変換処理後の画像（ｃ））。一方、輝度差が小さい画像に対しては、グラデーション効果等を考慮して、隣接する画素の中間色の補間画素を各画素間に挿入する（変換処理前の画像（ｂ）、変換処理後の画像（ｄ））。このように、画質・音質変換処理部２０２は、予め用意されたどの種別に該当する画像かを判別し、種別に応じた適切な変換処理を施す。
【００５０】
なお、画質変換処理の方法としては、例えば特開平０７−３２１６６２号公報に記載されているようなクラス分類適応処理により画質変換する方法を採用してもよいし、ノイズ除去することにより画質変換する方法を採用してもよい。また、補間フレームを挿入してフレームレートを増加することにより画質変換する方法等、画質が変換可能な処理であれば如何なるものであってもよい。
【００５１】
また、画質・音質変換処理部２０２は、変換対象とする録画済み番組の音声情報を解析して、特徴量に応じて分類分けを行い、音声の特徴に応じた適切な音質変換処理を施す。音質変換処理方法としては、例えば周波数成分を補間することにより高音質化するような方法や、特開２００６−１０１３１０号公報に記載されているようにモノラル音声からステレオ音声に変換処理する方法を採用してもよい。また、ステレオ音声から５．１ｃｈサラウンド音声に変換したり、特開２００５−３００５７８に記載されているように３Ｄ音響効果を与えるような変換処理方法を採用してもよい。音質が変換可能な処理であれば如何なるものであってもよく、音質変換処理についての具体的な説明は省略する。
【００５２】
図７は、画質・音質変換処理部２０２が画質変換処理及び音質変換処理を施すために用いる変換テーブルを示す図である。この変換テーブルは、メモリ部１０９又は画質・音質変換処理部２０２に予め格納（蓄積）されており、変換処理を実行する際に読み出される。
【００５３】
図７に示すように、この変換テーブルには、変換前の画像種別１，２，３，・・・のそれぞれに対応する画質変換処理方法、変換前の音声種別１，２，３，・・・のそれぞれに対応する音質変換処理方法が予め定められている。画質・音質変換処理部２０２は、変換処理を行う際に、変換対象とする録画済み番組の画像及び音声を解析して分類分けし、変換テーブルに基づいて、最適な画質変換処理方法及び音質変換処理方法を決定する。
【００５４】
次に、この実施の形態２における画質変換処理及び音質変換処理の設定手順について説明する。ユーザのリモコン操作により、録画済み番組リストが呼び出されると、提示処理部１１６は、録画済み番組リストの表示画面を生成する。
【００５５】
図８は、録画済み番組リストの表示画面の一例を示す図である。図８において、各録画済み番組のチャンネル（ＣＨ）、録画開始時刻及び終了時刻、画質及び音質、番組名が表示されている。ここで、画質・音質変換処理部２０２は、画質及び音質をそれぞれｌｅｖｅｌ１〜５までの５段階で変換可能であるものとする。「連続ドラマＡ  第１話」は、画質及び音質がそれぞれｌｅｖｅｌ５に変換され、「バラエティＣ」は、画質がｌｅｖｅｌ３、音質がｌｅｖｅｌ２に変換されている。画質と音質は、それぞれ個別にレベル指定することができる。「連続ドラマＡ  第１話」「連続ドラマＡ  第２話」「連続ドラマＡ  第３話」はシリーズ番組（関連番組）である。ユーザは任意の番組を選択して、画質変換及び音質変換することができる。例えば、「連続ドラマＡ  第２話」を選択すると、「連続ドラマＡ  第２話」の画質及び音質を変換するための変換設定画面が表示される。
【００５６】
図９は、画質及び音質を変換するための変換設定画面の一例を示す図である。図９において、「連続ドラマＡ  第２話」の変換前の画質（ＸＰ）及び変換後の画質（ｌｅｖｅｌ５）、変換前の音質（ＬＰＣＭ）及び変換後の音質（ｌｅｖｅｌ５）が表示されている。なお、ユーザは、リモコンを操作して変換後の画質及び音質の設定内容を変更することができる。
【００５７】
ここで、この実施の形態２では、画質及び音質を変換するための変換設定画面において、既に変換処理済みの関連番組がある場合は、その関連番組の変換処理内容（画質や音質等）を引き継げるようにすることを特徴としている。
【００５８】
図１０は、画質及び音質の変換設定の処理手順を示すフローチャートである。以下、図１及び図１０を用いて、画質及び音質の変換設定の処理手順について説明する。ここで、ハードディスク１１０には、変換処理済みの番組に関する変換処理の設定内容に関する情報（変換設定情報）も蓄積され、メモリ部１０９には、録画対象の放送番組の番組情報や、デフォルトの変換設定情報が予め格納（蓄積）されるものとする。
【００５９】
ユーザのリモコン操作により、任意の録画済み番組の変換設定画面が呼び出されると、提示処理部１１６は、その番組の画質及び音質を変換するための変換設定画面を生成する。このとき、制御部１０８は、既に変換処理済みの関連番組の変換設定内容（画質や音質等）を引き継ぐための処理を実行する。
【００６０】
まず、ステップＳ１００１において、制御部１０８は、変換対象の番組と関連性のある関連番組を、ハードディスク１１０内の録画済み番組の中から検索する。具体的には、制御部１０８は、変換対象の番組の番組情報及び他の録画済み番組の番組情報をハードディスク１１０から読み出す。そして、変換対象の番組と他の録画済み番組の番組名が類似しているかどうか、ジャンルが一致するかどうか、シリーズ番組かどうか等を判別することによって、変換対象の番組と関連性のある関連番組を特定する。
【００６１】
ステップＳ１００２において、制御部１０８は、画質・音質変換処理済みの関連番組があったか否かを判別する。ここで、画質・音質変換処理済みの関連番組があった場合は（Ｙｅｓ）、ステップＳ１００３に進み、その関連番組の変換設定情報をハードディスク１１０から読み出す。一方、画質・音質変換処理済みの関連番組がなかった場合は（Ｎｏ）、ステップＳ１００４に進み、メモリ部１０９からデフォルトの変換設定情報を読み出す。なお、関連番組が一つも見つからなかった場合も、ステップＳ１００２からステップＳ１００４へ進む。
【００６２】
次に、ステップＳ１００５において、提示処理部１６１は、読み出した変換設定情報を用いて、変換対象の番組の変換設定画面を生成する。
【００６３】
図９は、既に「連続ドラマＡ  第１話」が画質「ｌｅｖｅｌ５」、音質「ｌｅｖｅｌ５」に変換されていた場合を示している。この場合、画質「ｌｅｖｅｌ５」、音質「ｌｅｖｅｌ５」が読み出され、「変換済みの関連番組の変換設定情報を呼び出しました」というメッセージが表示される。ここで、ユーザがリモコンの決定ボタンを押すと、画質・音質変換処理部２０２は、設定された画質レベル及び音質レベルへの変換処理を実行する。
【００６４】
なお、画質・音質変換処理部２０２は、変換前・変換後の画質及び音質の設定内容の他、変換対象とする解析結果（画像種別及び音声種別）、採用した変換処理方法（図７参照）も変換設定情報としてハードディスク１１０に保存する。そして、画質・音質変換処理部２０２は、変換済みの関連番組の変換設定情報を読み出し、変換済みの関連番組と同様の画質・音質変換処理を施す。
【００６５】
したがって、この実施の形態２によれば、簡単な操作で、複数の関連番組を一定の画質又は音質に揃えて管理することが可能となる。つまり、従来と異なり、ユーザは既に変換済みの関連番組をどのような設定で変換していたかを記憶しておく必要がなくなる。また、変換済みの関連番組の変換設定内容を自動的に引き継ぐことができるため、変換済みの関連番組の変換設定内容に合わせるためにユーザが手動で設定する手間が省ける。
【００６６】
さらに、変換済みの関連番組の変換設定内容を再利用するので、画質・音質変換処理部２０２が変換対象とする録画済み番組の画像及び音声を再度解析する必要はなくなる。具体的には、画像及び音声情報を解析して再度分類分けする必要がなくなり、また、分類分けに応じて再度変換処理方法を決定する必要がなくなる。このため、変換処理をより効率的に、短時間で行うことが可能になる。
【００６７】
なお、画質・音質変換処理済み番組の変換設定情報は、変換処理済み番組とともにハードディスク１１０に保存するようにしてもよいし、変換処理済み番組とは別にメモリ部１０９に保存するようにしてもよい。変換済み番組の変換設定情報をメモリ部１０９に保存しておく場合は、ハードディスク１１０内の変換済み番組のデータが消去されたとしても、変換済み番組の変換設定情報をメモリ部１０９に残しておくことができる。また、外部のＡＶ機器等で画質・音質変換処理した番組の変換設定情報を外部Ｉ／Ｆ部１１１を介してメモリ部１０９に蓄積することにより、外部のＡＶ機器の変換済み番組の変換設定内容を引き継ぐことも可能である。
【００６８】
（実施の形態２の変更例）
この実施の形態２の変更例では、画質・音質変換処理を実行する際に、変換処理が施されていない関連番組が他にある場合に、それらを一括して画質・音質変換処理を施す形態について説明する。
【００６９】
図１１は、本発明の実施の形態２の変更例に係る画質及び音質の変換設定の処理手順を示すフローチャートである。なお、図１１において、図１０と同様のステップについては同一の番号を付し、その説明は繰り返さない。以下、図５及び図１１を用いて、変換設定の処理手順について説明する。
【００７０】
ステップＳ１１０１において、制御部１０８は、変換対象の番組と関連性のある関連番組のうち、画質・音質変換処理が施されていない関連番組があるか否かを判別する。ここで、画質・音質変換処理が施されていない関連番組があった場合は（Ｙｅｓ）、ステップＳ１１０２に進み、その関連番組の録画設定情報を蓄積部１１０から読み出す。そして、ステップＳ１００５に進み、提示処理部１６１は、画質・音質変換処理が施されていない全ての関連番組を対象とした変換設定画面を生成する。
【００７１】
図１２は、本発明の実施の形態２の変更例に係る画質及び音質の変換設定画面の一例を示す図である。例えば、図８に示したように、「連続ドラマＡ  第２話」及び「連続ドラマＡ  第３話」が未だ変換処理されていな場合に、ユーザが「連続ドラマＡ  第２話」の変換処理を実行しようとすると、図１２に示すような画面が表示される。図１２において、「連続ドラマＡ  第２話」及び「連続ドラマＡ  第３話」の変換前の画質（ＸＰ）及び変換後の画質（ｌｅｖｅｌ５）、変換前の音質（ＬＰＣＭ）及び変換後の音質（ｌｅｖｅｌ５）が表示されている。
【００７２】
ここで、ユーザがリモコンの決定ボタンを押すと、「連続ドラマＡ  第２話」及び「連続ドラマＡ  第３話」に対して、設定された画質レベル及び音質レベルへの画質・音質変換処理が一括して実行される。なお、ユーザは、リモコンを操作して変換後の画質及び音質の設定内容を変更することができる。
【００７３】
したがって、この実施の形態２の変更例では、未だ画質・音質変換処理が施されていない関連番組が自動的に検出され、それらの関連番組に対して一括して変換処理を実行することができるため、画質・音質変換処理の操作性が向上する。
【００７４】
（実施の形態３）
この実施の形態３では、画質又は音質の異なる複数の番組が存在する場合に、それらの番組を簡単な操作で一定の画質又は音質に揃えて管理する形態について説明する。なお、この実施の形態３に係る蓄積処理装置の構成は、実施の形態２の図５に示した構成と同様であるため、ここでは説明は繰り返さない。
【００７５】
図１３は、本発明の実施の形態３に係る画質及び音質の変換設定の処理手順を示すフローチャートである。以下、図５及び図１３を用いて、変換設定の処理手順について説明する。
【００７６】
ステップＳ１２０１において、制御部１０８は、任意のタイミングで、ハードディスク１１０内の録画済み番組の中に互いに関連性のある関連番組を検索（選択）する。具体的には、制御部１０８は、各番組の番組情報をハードディスク１１０から読み出す。そして、番組名が互いに類似しているかどうか、ジャンルが一致するかどうか、シリーズ番組かどうか等を判別することによって、関連番組を検索（選択）する。なお、制御部１０８は、所定の期間毎に関連番組の検索を実行するようにしてもよいし、所定の時刻になったら関連番組の検索を実行するようにしてもよい。また、ある番組の画質・音質変換処理が実行された直後に、その番組に関連する関連番組の検索を実行するようにしてもよい。
【００７７】
ステップＳ１２０２において、制御部１０８は、見つかった関連番組の録画設定情報及び変換設定情報をハードディスク１１０から読み出す。ステップＳ１２０３において、制御部１０８は、見つかった関連番組の録画設定情報及び変換設定情報を比較する。そして、比較結果に基づき、画質又は音質が互いに異なる関連番組があるか否かを判別する。例えば、図８に示したように、「連続ドラマＡ  第１話」には画質・音質変換処理が施されており、「連続ドラマＡ  第２話」及び「連続ドラマＡ  第３話」には未だ画質・音質変換処理が施されていない場合は、画質又は音質が互いに異なる関連番組があると判別される。また、全ての関連番組に画質・音質変換処理が施されていなくても、録画設定画質又は録画設定音質が異なる場合は、画質又は音質が互いに異なる関連番組があると判別される。また、全ての関連番組に画質・音質変換処理が施されていたとしても、変換設定画質又は変換設定音質が異なる場合は、画質又は音質が互いに異なる関連番組があると判別される。
【００７８】
そして、画質又は音質が互いに異なる関連番組があると判別された場合は（Ｙｅｓ）、ステップＳ１２０４に進み、提示処理部１１６は、それらの関連番組の画質及び音質を変換するための変換設定画面を生成する。
【００７９】
図１４は、本発明の実施の形態３に係る画質及び音質の変換設定画面の一例を示す図である。図１４において、「連続ドラマＡ  第１話」〜「連続ドラマＡ  第３話」の変換後の画質（ｌｅｖｅｌ５）及び音質（ｌｅｖｅｌ５）が表示されている。ここで、ユーザがリモコンの決定ボタンを押すと、「連続ドラマＡ  第１話」〜「連続ドラマＡ  第３話」に対して、設定された画質レベル及び音質レベルへの画質・音質変換処理が一括して実行される。ユーザは、リモコンを操作して変換後の画質及び音質の設定内容を変更することができるものとする。なお、この変換設定画面において、実施の形態２で説明したように、既に変換処理済みの関連番組がある場合は、その番組の変換設定内容（画質や音質等）を引き継ぐようにしてもよい。
【００８０】
したがって、この実施の形態３では、画質又は音質が互いに異なる関連番組が自動的に検出され、それらの関連番組に対して一括して変換処理を実行することができるため、画質・音質変換処理の操作性が向上する。
【００８１】
なお、ここでは、図１３のステップＳ１２０１において、ハードディスク１１０内の録画済み番組の中に互いに関連性のある関連番組を検索（選択）する場合について説明したが、このステップを省略してもよい場合もある。例えば、ハードディスク１１０内の録画済み番組の中から複数の番組を選択してＤＶＤにまとめて保存する場合に、選択された複数の番組の画質又は音質が一定レベルになるように画質・音質変換処理を実行するようにしてもよい。この場合、複数の番組は必ずしも互いに関連する番組である必要はない。また、ファイル形式が同じである番組を検索（選択）して、同じファイル形式を有する複数の番組の画質又は音質が一定レベルになるように画質・音質変換処理を実行するようにしてもよい。
【００８２】
（実施の形態４）
この実施の形態４では、録画設定画質又は音質に応じて、画質・音質変換処理実行後の最高画質又は最高音質が異なる場合に、簡単な操作で複数の番組を一定の画質又は音質に揃えて管理する形態について説明する。なお、この実施の形態４係る蓄積処理装置の構成は、実施の形態２の図５に示した構成と同様であるため、ここでは説明は繰り返さない。
【００８３】
図１５は、各録画設定画質及び音質に対応する変換処理実行後の最高画質及び最高音質の一例を示す図である。図１５において、録画済みの「連続ドラマＡ  第１話」の録画設定画質がＳＰ、録画設定音質がＡＡＣ（ＳＰ）であり、玄関処理実行後の最高画質がｌｅｖｅｌ５、最高音質がｌｅｖｅｌ５である。また、録画済みの「連続ドラマＡ  第２話」の録画設定画質がＬＰ、録画設定音質がＡＡＣ（ＬＰ）であり、玄関処理実行後の最高画質がｌｅｖｅｌ４、最高音質がｌｅｖｅｌ４である。録画済みの「連続ドラマＡ  第３話」の録画設定画質がＥＰ、録画設定音質がＡＡＣ（ＥＰ）であり、変換処理実行後の最高画質がｌｅｖｅｌ３、最高音質がｌｅｖｅｌ３である。
【００８４】
このように、録画設定画質又は音質に応じて、画質・音質変換処理実行後の最高画質又は最高音質が制限されることがある。このような場合、複数の録画済み番組を個別に画質・音質変換処理すると、複数の関連番組が互いに異なる画質又は音質に変換されてしまう可能性がある。
【００８５】
そこで、この実施の形態４では、画質・音質変換処理を実行する際に、全ての関連番組の変換処理実行後の最高画質及び最高音質を判定することにより、複数の関連番組を一定の画質又は音質に揃えて管理可能とすることを特徴とする。
【００８６】
図１６は、本発明の実施の形態４に係る画質及び音質の変換設定の処理手順を示すフローチャートである。以下、図５及び図１６を用いて、変換設定の処理手順について説明する。
【００８７】
ステップＳ１３０１において、ユーザのリモコン操作により、任意の録画済み番組の変換設定画面が呼び出されると、制御部１０８は、変換対象の番組と関連性のある関連番組を、ハードディスク１１０内の録画済み番組の中から検索（選択）する。具体的には、制御部１０８は、変換対象の番組の番組情報及び他の録画済み番組の番組情報をハードディスク１１０から読み出す。そして、変換対象の番組と他の録画済み番組の番組名が類似しているかどうか、ジャンルが一致するかどうか、シリーズ番組かどうか等を判別することによって、変換対象の番組と関連性のある関連番組を検索（選択）する。
【００８８】
ステップＳ１３０２において、制御部１０８は、変換対象番組の関連番組があったか否かを判別する。ここで、関連番組があった場合は（Ｙｅｓ）、ステップＳ１３０３に進み、全ての関連番組の変換処理実行後の最高画質及び最高音質を判定する。一方、関連番組がなかった場合は（Ｎｏ）、ステップＳ１３０４に進み、変換対象番組の変換処理実行後の最高画質及び最高音質を判定する。
【００８９】
次に、ステップＳ１３０５において、提示処理部１６１は、判定結果に基づいて、変換設定画面を生成する。具体的には、関連番組があった場合は、ステップＳ１３０３で判定された複数の関連番組の最高画質及び最高音質のうち、最も低い画質及び音質のレベルを特定する。そして、特定した画質及び音質以下のレベルを選択可能とした、関連番組を一括して画質・音質変換処理する変換設定画面を生成する。また、関連番組がなかった場合は、ステップＳ１３０４で判定された最高画質及び最高音質以下のレベルを選択可能とした、変換対象番組の変換設定画面を生成する。
【００９０】
例えば、図１５に示したように、録画設定画質及び音質がそれぞれ異なる関連番組録画済みの「連続ドラマＡ  第１話」〜「連続ドラマＡ  第３話」が存在する場合は、画質レベル３以下の範囲のみを選択可能とする。
【００９１】
このように、この実施の形態４では、ユーザの選択可能な範囲を制限することにより、複数の番組が互いに異なる画質又は音質に変換されてしまうのが防止され、簡単な操作で一定の画質又は音質に揃えて管理することが可能となる。
【００９２】
（実施の形態５）
この実施の形態５では、番組内の全てのシーンの画質又は音質を簡単な操作で一定レベルに揃えて管理する形態について説明する。なお、この実施の形態４係る蓄積処理装置の構成は、実施の形態２の図５に示した構成と同様であるため、ここでは説明は繰り返さない。
【００９３】
図１７は、番組内のシーンの画質が異なる様子を示す図である。図１７において、時刻ｔ０からｔ１までの期間は、ユーザが画質モードＳＰで番組を録画し、時刻ｔ１以降は画質モードＸＰで同一番組を録画するように、画質モードを切り替えたものとする。なお、音質モードについても、同様に、番組の途中で切り替えられる場合があるが、ここでは説明を省略する。
【００９４】
図１８は、本発明の実施の形態５に係る画質（又は音質）の変換処理手順を示すフローチャートである。以下、図５及び図１８を用いて、画質（又は音質）の変換処理手順について説明する。
【００９５】
ステップＳ１４０１において、制御部１０８は、任意のタイミングに、ハードディスク１１０に蓄積された録画済み番組に対して、番組内の画質（又は音質）モードを解析する。ステップＳ１４０２において、番組内の画質（又は音質）モードに一定以上の変化があるか否かを判別する。そして、画質（又は音質）モードに一定以上の変化があると判別された場合は、ステップＳ１４０３に進む。ステップＳ１４０３において、画質・音質変換処理部２０２は、低画質（又は低音質）のシーンを他のシーンの画質（又は音質）に合うように、高画質化（又は高音質化）する変換処理を実行する。
【００９６】
したがって、この実施の形態５では、録画済み番組内で画質又は音質が異なるシーンがある場合でも、簡単な操作で番組内の画質又は音質を一定レベルに揃えて管理することが可能となる。
【図面の簡単な説明】
【００９７】
【図１】本発明の実施の形態１に係る蓄積処理装置の概略構成を示すブロック図である。
【図２】図１に示したチューナ部から出力されるＴＳ信号の構成例を示す図である。
【図３】予約設定画面の一例を示す図である。
【図４】録画予約設定の処理手順を示すフローチャートである。
【図５】本発明の実施の形態２に係る蓄積処理装置の概略構成を示すブロック図である。
【図６】図５に示した画質・音質変換処理部による画質変換処理について説明するための図である。
【図７】画質・音質変換処理部が画質変換処理及び音質変換処理を施すために用いる変換テーブルを示す図である。
【図８】録画済み番組リストの表示画面の一例を示す図である。
【図９】画質及び音質を変換するための変換設定画面の一例を示す図である。
【図１０】画質及び音質の変換設定の処理手順を示すフローチャートである。
【図１１】本発明の実施の形態２の変更例に係る画質及び音質の変換設定の処理手順を示すフローチャートである。
【図１２】本発明の実施の形態２の変更例に係る画質及び音質の変換設定画面の一例を示す図である。
【図１３】本発明の実施の形態３に係る画質及び音質の変換設定の処理手順を示すフローチャートである。
【図１４】本発明の実施の形態３に係る画質及び音質の変換設定画面の一例を示す図である。
【図１５】各録画設定画質及び音質に対応する変換処理実行後の最高画質及び最高音質の一例を示す図である。
【図１６】本発明の実施の形態４に係る画質及び音質の変換設定の処理手順を示すフローチャートである。
【図１７】番組内のシーンの画質が異なる様子を示す図である。
【図１８】本発明の実施の形態５に係る画質（又は音質）の変換処理手順を示すフローチャートである。
【符号の説明】
【００９８】
１０１  蓄積処理装置
１０２  入力端子
１０３  チューナ部
１０４  ＤＥＭＵＸ（デマルチプレクサ）部
１０５  映像処理部
１０６  音声処理部
１０７  リモコン受信部
１０８  制御部
１０９  メモリ部（蓄積部）
１１０  ハードディスク（蓄積部）
１１１  外部Ｉ／Ｆ部
１１２  内部バス
１１３  映像出力端子
１１４  音声出力端子
１１５  外部Ｉ／Ｆ端子
１１６  提示処理部
【図１】
2008219473.tif 000003
【図２】
2008219473.tif 000004
【図３】
2008219473.tif 000005
【図４】
2008219473.tif 000006
【図５】
2008219473.tif 000007
【図６】
2008219473.tif 000008
【図７】
2008219473.tif 000009
【図８】
2008219473.tif 000010
【図９】
2008219473.tif 000011
【図１０】
2008219473.tif 000012
【図１１】
2008219473.tif 000013
【図１２】
2008219473.tif 000014
【図１３】
2008219473.tif 000015
【図１４】
2008219473.tif 000016
【図１５】
2008219473.tif 000017
【図１６】
2008219473.tif 000018
【図１７】
2008219473.tif 000019
【図１８】
2008219473.tif 000020